(57)【要約】  約６％〜約３５％の界面活性剤成分を含有する洗濯用洗剤組成物であって、前記界面活性剤成分が、前記組成物の約０．５〜約１５％重量のＭＥＳ混合物であって、約８％〜約５０％の平均濃度の二塩を有するＭＥＳ混合物であり、前記ＭＥＳ混合物がＣ１６ＭＥＳを含み、Ｃ１６ＭＥＳと界面活性剤成分との比率が約０．３未満である、洗濯用洗剤組成物。【特許請求の範囲】
【請求項１】
洗濯洗剤組成物であって、
ａ）６％〜３５％の界面活性剤成分、及び
ｂ）水、を含み、
前記界面活性剤成分が、
ｉ）前記組成物の０．５〜１５重量％、好ましくは０．５〜６重量％のＭＥＳ混合物であって、８％〜５０％、好ましくは２０％を超える平均濃度の二塩を有するＭＥＳ混合物であり、前記ＭＥＳ混合物がＣ１６ＭＥＳを含み、かつ
ｉｉ）Ｃ１６ＭＥＳと界面活性剤成分との比率が０．３未満であること、を特徴とする、洗濯洗剤組成物。
【請求項２】
前記界面活性剤成分が、前記組成物の０．５重量％〜６重量％のＭＥＳ混合物を含み、前記ＭＥＳ混合物が、Ｃ１０、Ｃ１２、Ｃ１４、Ｃ１８及びこれらの混合物から選択されるＭＥＳの少なくとも１つの他の鎖長を更に含み、ＭＥＳ混合物と界面活性剤成分との比率が０．７未満である、請求項１に記載の洗濯洗剤組成物。
【請求項３】
前記ＭＥＳ混合物が、前記ＭＥＳ混合物の１５重量％〜２５重量％の平均濃度の二塩を有する、請求項１または２に記載の洗濯洗剤組成物。
【請求項４】
前記界面活性剤成分が、高可溶性アルキルサルフェート、線状アルキルベンゼンスルホン酸塩、エトキシ化アルキルサルフェート、エトキシ化アルコール、及びこれらの混合物の群から選択される少なくとも１つの他の主要な界面活性剤を含む、請求項１〜３のいずれか１項に記載の洗濯用組成物。
【請求項５】
前記界面活性剤成分が、ＭＥＳ及びＡＥＳを含み、ＭＥＳとＡＥＳとの比率が０．６未満である、請求項１〜４のいずれか１項に記載の洗濯用組成物。
【請求項６】
前記界面活性剤成分が、ＭＥＳ及びＡＥＳを含み、ＭＥＳとＡＥＳとの比率が０．５未満である、請求項１〜５のいずれか１項に記載の洗濯用組成物。
【請求項７】
前記界面活性剤成分が、ＬＡＳ及びＨＳＡＳを更に含み、ＬＡＳ及びＨＳＡＳの合計がＡＥＳ、ＭＥＳ、及び非イオン性界面活性剤の合計以下である、請求項１〜６のいずれか１項に記載の洗濯用組成物。
【請求項８】
前記界面活性剤成分が、ＨＳＡＳを含有し、ＨＳＡＳとＭＥＳとの比率が１：６〜６：１である、請求項１に記載の洗濯用組成物。
【請求項９】
前記組成物が、１つ以上の任意の洗剤成分を更に含む、請求項１〜８のいずれか１項に記載の洗濯用組成物。
【請求項１０】
前記界面活性剤成分が、前記組成物の０．５重量％〜６重量％のＭＥＳ混合物を含み、前記ＭＥＳ混合物がＣ１０、Ｃ１２、Ｃ１４、Ｃ１８及びこれらの混合物から選択される少なくとも１つの他の鎖長のＭＥＳを更に含み、ＭＥＳ混合物と界面活性剤成分との比率が０．６未満、好ましくは０．５未満である、請求項１に記載の洗濯洗剤組成物。
【発明の詳細な説明】
【技術分野】
【０００１】
本発明は、改善された洗浄、良好な安定性を有し、かつより低コストの、メチルエステルスルホネートを含有する洗濯洗剤組成物に関する。
【背景技術】
【０００２】
メチルエステルスルホネート（「ＭＥＳ」）界面活性剤は現在、洗濯用洗剤を含む多くの用途に使用されており、パーム油、又はココナッツ油等の再生可能な資源から生産することができる。近年における石油化学製品の価格の高騰に伴い、これらの再生可能な資源の界面活性剤は、一定の洗濯用洗剤処方に含めるための更に魅力的な選択肢となってきている。ＭＥＳの生産のためのプロセスは非常に周知であり、確立されている（例えば、ケミトンコーポレーション（The Chemithon Corporation）に対する、米国特許第５，５８７，５００号、同第５，７２３，５３３号、及び同第６，０５８，６２３号を参照）。一般的にいえば、天然油（又はトリグリセリド）は、メチルエステル及びグリセロールへ化学的に変換される。メチルエステルは、次いでα位置でスルホン化され、その後に所望のαスルホン化メチルエステルスルホネート分子への最適な変換を確実にするように温浸工程が続く。温浸工程の後、この物質は一般に漂白及び中和され、これらの２つの工程は、当技術分野において既知の一定のプロセスに記載のいずれの順序でなされることも可能である。
【０００３】
様々な副産物が、ＭＥＳプロセスの間に形成される場合があり、それぞれの副産物は、完成した洗剤処方におけるＭＥＳの全体としての性能及び安定性に影響を及ぼすことがある。１つのこのような副産物は、一般的に「二塩」と称され、別のカチオンで中和されたエステルのメチル部分も有した、（α位置でスルホン化、及び中和された）望ましいＭＥＳ分子の中和された形態として記載される場合がある。この二塩分子は、同等のＭＥＳ分子と異なる特性を有し、一定の性能及び安定性の問題を生じる可能性がある。この理由のため、ほとんどのＭＥＳプロセスでは、プロセスの間に形成される二塩の濃度を最小限にしようと試みる（一般的にこの基準は約１０％未満である）。これは一般的に、高ｐＨの領域を避けるための中和工程をしっかりと制御し、かつ中和の前に存在する水の濃度を最小限にすることによって達成される。
【発明の開示】
【発明が解決しようとする課題】
【０００４】
この二塩の濃度の最小限化は、プロセス投資を必要とし、従って、低二塩濃度を有するＭＥＳ物質の価格は、高二塩濃度を有するＭＥＳよりも概して高い。過去に、二塩は、クリーニング性能及び安定性にマイナスの影響がある可能性がある望ましくない物質として考えられてきたため、この超過コストは受け入れられてきた。
【０００５】
従って、二塩のより高い濃度を有するより安価なＭＥＳを使用することが可能な、良好なクリーニング性能、及び安定性の両方を有するコスト削減型洗濯洗剤組成物を開発するための必要性が存在する。
【課題を解決するための手段】
【０００６】
意外にも、より高濃度の二塩を有するＭＥＳは、良好なクリーニング性能及び安定性を伴う処方に成功し得ることが見出された。更に、所定のプロセスで達成されたＭＥＳの色は、意外にも、二塩の濃度を増加させることが可能な場合、改善が可能であることが見出された。理論によって制限されることなく、これは、一定濃度の二塩の形成をさほど考慮に入れずにより厳密な漂白工程が実行され得るという事実による。
【０００７】
従って、本発明は、洗濯洗剤組成物であって、
ａ）約６％〜約３５％の界面活性剤成分を含み、この界面活性剤成分が、
ｉ）組成物の約０．５〜約１５重量％のＭＥＳ混合物であって、約８％〜約５０％の平均濃度の二塩を有するＭＥＳ混合物であり、前記ＭＥＳ混合物が、Ｃ１６ＭＥＳを含み、かつ好ましくはＣ１６ＭＥＳと合計界面活性剤との比率が約０．３未満、より好ましくは約０．２未満であり、かつ
ｉｉ）Ｃ１６ＭＥＳと界面活性剤成分との比率が約０．３未満である、洗濯洗剤組成物に関する。
【０００８】
本発明は、液体又はゲル洗濯洗剤組成物であって、
ａ）約６％〜約３５％の界面活性剤成分、及び
ｂ）水、を含み、
界面活性剤成分が、
ｉｉｉ）組成物の約０．５〜１５重量％のＭＥＳ混合物であって、約８％〜約５０％の平均濃度の二塩を有するＭＥＳ混合物であり、前記ＭＥＳ混合物がＣ１６ＭＥＳを含み、好ましくは対するＣ１６ＭＥＳと合計界面活性剤との比率が約０．３未満、より好ましくは約０．２未満であり、かつ
ｉｖ）に対するＣ１６ＭＥＳと界面活性剤成分との比率が約０．３未満である、液体、又はゲル洗濯洗剤組成物に更に関する。
【０００９】
本発明は、界面活性剤成分が、約０．５〜約６％のＣ１６ＭＥＳであって、約２０％を超える平均濃度の二塩を有する、上記の組成物に更に関する。
【００１０】
本発明は、界面活性剤成分が、組成物の約０．５重量％〜約６重量％のＭＥＳ混合物であって、前記ＭＥＳ混合物がＣ１０、Ｃ１２、Ｃ１４、Ｃ１８及びこれらの混合物から選択されるＭＥＳの少なくとも１つの他の鎖長を更に含み、ＭＥＳ混合物と界面活性剤成分との比率が約０．７未満である、上記組成物に更に関する。
【００１１】
本発明は、ＭＥＳ混合物の二塩の平均濃度が、ＭＥＳ混合物の約１５重量％〜約２５重量％である、上記組成物に更に関する。
【００１２】
本発明は、ＭＥＳ混合物の二塩の平均濃度が、ＭＥＳ混合物の約８重量％〜約５０重量％、或いは約１０〜約５０重量％、或いは約１０重量％〜約４０重量％、或いは約１２重量％〜約４０重量％、更に或いは約１５重量％〜約２５重量％である、上記組成物に更に関する。
【００１３】
本発明は、界面活性剤成分が、高可溶性アルキルサルフェート、線状アルキルベンゼンスルホン酸塩、エトキシ化アルキルサルフェート、エトキシ化アルコール、及びこれらの混合物の群から選択される少なくとも１つの他の主要な界面活性剤を含む、上記組成物に更に関する。
【００１４】
本発明は、界面活性剤成分が、ＭＥＳ及びＡＥＳを含み、ＭＥＳとＡＥＳとの比率が０．６を下回る、上記組成物に更に関する。
【００１５】
本発明は、界面活性剤成分がＭＥＳ及びＡＥＳを含み、ＭＥＳとＡＥＳとの比率が０．５を下回る上記組成物に更に関する。
【００１６】
本発明は、界面活性剤成分がＬＡＳ及びＨＳＡＳを更に含み、ＬＡＳ及びＨＳＡＳの合計がＡＥＳ、ＭＥＳ、及び非イオン性界面活性剤の合計以下である、上記組成物に更に関する。
【００１７】
本発明は、界面活性剤成分がＨＳＡＳを含有し、ＨＳＡＳとＭＥＳとの比率が約１：６〜約６：１である、上記組成物に更に関する。
【００１８】
本発明は、前記組成物が１つ以上の任意の洗剤成分を更に含む、上記組成物に更に関する。
【００１９】
本発明は、界面活性剤成分が、組成物の約０．５重量％〜約６重量％のＭＥＳ混合物を含み、前記ＭＥＳ混合物がＣ１０、Ｃ１２、Ｃ１４、Ｃ１８、及びこれらの混合物から選択されるＭＥＳの少なくとも１つの他の鎖長を更に含み、ＭＥＳ混合物と界面活性剤成分との比率が約０．６未満、好ましくは約０．５未満である、上記組成物に更に関する。
【発明を実施するための最良の形態】
【００２０】
洗濯洗剤組成物
本発明の洗濯洗剤組成物は、ＭＥＳ界面活性剤を含有し、粒状、粉末、液体、ゲル、タブレット、液体タブレット、又はこれらの組み合せを含む、多数の形状であってもよい。一実施形態において、洗濯洗剤組成物は、強力液体洗濯洗剤組成物である。別の実施形態において、洗濯洗剤組成物は、粒状洗剤である。粒状及び／又は粉末洗剤組成物の例は、例えば、第４，４１２，９３４号、第４，４９０，２７１号、第４，５１５，７０５号、第４，５８７，０５４号、第４，６０５，５０９号、第４，９８６，４２０号、第４，９９７，５９０号、第５，１３７，２０９号、第５，３７３，９６０号、第５，４５８，８０９号、第５，４５８，８１０号、第５，４６０，７５２号、第５，４７０，５０７号、第５，４８９，３９２号、第５，５１６，４４８号、第５，５５４，５８７号、第５，５６５，４２２号、第５，５６９，６４５号、第５，６７９，６３０号、第５，６９１，２９７号、第５，７３３，８６２号、第５，７９５，８５４号、第５，８９１，８３８号、第５，９３２，５３２号、第５，９５５，４１９号、第６，０１５，７８１号、第６，０１７，８７１号、第６，０２０，３０３号、第６，０６０，４４３号、第６，０６６，６１１号、第６，１３３，２２２号、第６，２２８，８２８号、第６，２２８，８２９号、第６，２５１，８４６号、第６，３２６，３４８号、第６，３８４，０１１号、第６，６８９，７３９号に見出され得る。
【００２１】
従って、本発明は、
ａ）約６％〜約３５％の界面活性剤成分を含み、前記界面活性剤は、
ｖ）前記組成物の約０．５〜約１５重量％のＭＥＳ混合物であって、約８％〜約５０％の平均濃度の二塩を有するＭＥＳ混合物であり、前記ＭＥＳ混合物がＣ１６ＭＥＳを含み、好ましくはＣ１６ＭＥＳと界面活性剤の合計との比率が約０．３未満であり、より好ましくは約０．２未満であり、かつ
ｖｉ）Ｃ１６ＭＥＳと界面活性剤成分との比率が約０．３未満であることを特徴とする、洗濯洗剤組成物に関する。
【００２２】
本発明は、
ａ）約６％〜約３５％の界面活性剤成分、及び
ｂ）水、を含み
前記界面活性剤成分が、
ｖｉｉ）前記組成物の約０．５〜約１５重量％のＭＥＳ混合物であって、約８％〜約５０％の平均濃度の二塩を有するＭＥＳ混合物であり、前記ＭＥＳ混合物がＣ１６ＭＥＳを含み、好ましくはＣ１６ＭＥＳとの合計界面活性剤との比率が約０．３未満であり、より好ましくは約０．２未満であり、かつ
ｖｉｉｉ）Ｃ１６ＭＥＳと界面活性剤成分との比率が約０．３未満である、液体又はゲル洗濯洗剤組成物に更に関する。
【００２３】
本発明は、界面活性剤成分が、約０．５〜約６％のＣ１６ＭＥＳであって、約２０％を超える平均濃度の二塩を有する、上記の組成物に更に関する。
【００２４】
本発明は、界面活性剤成分が、組成物の約０．５重量％〜約６重量％のＭＥＳ混合物であって、前記ＭＥＳ混合物がＣ１０、Ｃ１２、Ｃ１４、Ｃ１８及びこれらの混合物から選択されるＭＥＳの少なくとも１つの他の鎖長を更に含み、ＭＥＳ混合物と界面活性剤成分との比率が約０．７未満である、上記組成物に更に関する。
【００２５】
本発明は、ＭＥＳ混合物の平均濃度がＭＥＳ混合物の約８重量％〜約５０重量％である、上記組成物に更に関する。
【００２６】
本発明は、ＭＥＳ混合物の二塩の平均濃度が、ＭＥＳ混合物の約８重量％〜約５０重量％である、上記組成物に更に関する。
【００２７】
本発明は、ＭＥＳ混合物の平均濃度がＭＥＳ混合物の約１５重量％〜約２５重量％である、上記組成物に更に関する。
【００２８】
本発明は、ＭＥＳ混合物の二塩の平均濃度が、ＭＥＳ混合物の約８重量％〜約５０重量％、或いは約１０〜約５０重量％、或いは約１０重量％〜約４０重量％、或いは約１２重量％〜約４０重量％、更に或いは約１５重量％〜約２５重量％である、上記組成物に更に関する。
【００２９】
本発明は、界面活性剤成分が、高可溶性アルキルサルフェート、線状アルキルベンゼンスルホン酸塩、エトキシ化アルキルサルフェート、エトキシ化アルコール、及びこれらの混合物の群から選択される少なくとも１つの他の主要な界面活性剤を含む、上記組成物に更に関する。
【００３０】
本発明は、界面活性剤成分が、ＭＥＳ及びＡＥＳを含み、ＭＥＳとＡＥＳとの比率が０．６を下回る、上記組成物に更に関する。
【００３１】
本発明は、界面活性剤成分がＭＥＳ及びＡＥＳを含み、ＭＥＳとＡＥＳとの比率が０．５を下回る上記組成物に更に関する。
【００３２】
本発明は、界面活性剤成分がＬＡＳ及びＨＳＡＳを更に含み、ＬＡＳ及びＨＳＡＳの合計がＡＥＳ、ＭＥＳ、及び非イオン性界面活性剤の合計以下である、上記組成物に更に関する。
【００３３】
本発明は、界面活性剤成分がＨＳＡＳを含有し、ＨＳＡＳとＭＥＳとの比率が約１：６〜約６：１である、上記組成物に更に関する。
【００３４】
本発明は、前記組成物が１つ以上の任意の洗剤成分を更に含む、上記組成物に更に関する。
【００３５】
本発明は、界面活性剤成分が、組成物の約０．５重量％〜約６重量％のＭＥＳ混合物を含み、前記ＭＥＳ混合物がＣ１０、Ｃ１２、Ｃ１４、Ｃ１８、及びこれらの混合物から選択されるＭＥＳの少なくとも１つの他の鎖長を更に含み、ＭＥＳ混合物と界面活性剤成分との比率が約０．６未満、好ましくは約０．５未満である、上記組成物に更に関する。
【００３６】
界面活性剤成分
本発明の洗濯洗剤組成物は、前記組成物の約６重量％〜約９０重量％の界面活性剤成分を含有する。一実施形態において、前記組成物は、組成物の約６重量％〜約５０重量％、或いは約６重量％〜約３５重量％の界面活性剤成分を含有する。
【００３７】
界面活性剤成分は、ＭＥＳ混合物を含み、任意に他の界面活性剤を含んでもよい。ＭＥＳ界面活性剤に加えて、本願で使用されてもよい他の界面活性剤は、アニオン、非イオン性、カチオン性、双極性イオン、及び／又は両性界面活性剤を含む。
【００３８】
アルキルエステルスルホネート界面活性剤（「ＭＥＳ」）
本明細書で使用するとき、「ＭＥＳ」は、一般的にメチルエステルスルホネート形状で使用される、アルキルエステルスルホネート界面活性剤を指す。本発明は、ＭＥＳを含む洗濯洗剤組成物に関する。本明細書で有用なＭＥＳ界面活性剤は、式
【化１】
2009540096.tif 000002
式中、Ｒは、平均で、Ｃ６〜Ｃ２２アルキル、Ｒ’は平均でＣ１〜Ｃ８アルキル、Ｍは、アルカリ金属又はアルカリ土類金属カチオン、又はこれらの混合物であり、Ｍがアルカリ金属カチオンのときｎは１であり、Ｍがアルカリ土類金属カチオンのときｎは２である。
【００３９】
これらのスルホン化アルキルエステルの疎水性部分は、α−位置でスルホン酸基を有する。即ち、スルホン酸基は、カルボニル基と近接する炭素原子に位置付けられる。スルホン化脂肪酸アルキルエステルのＲ部分と対応する疎水性部分のアルキル部分は、平均Ｃ６〜Ｃ２２のアルキルにある。好ましくは、この疎水性部分のアルキル部分、Ｒは、特にＲ’がメチルであるとき、平均して直鎖Ｃ８〜Ｃ１６炭化水素にある。
【００４０】
スルホン酸アルキルエステルのエステル部分を形成しているＲ’は、平均Ｃ１〜Ｃ８アルキルにある。好ましくは、Ｒ’は、平均Ｃ１〜Ｃ６アルキルにあり、最も好ましくはＣ１アルキル、即ちメチルにある。
【００４１】
一実施形態において、Ｒが、平均で、Ｃ１４〜Ｃ１６アルキル（およそ、例えば、約９５％  Ｃ１４、５％  Ｃ１６混合物）、及びＲ’がメチルであるような配分である。別の実施形態において、Ｒが、平均で、Ｃ１２〜Ｃ１６アルキル（およそ、例えば、３％  Ｃ１２、２８％  Ｃ１４、６９％  Ｃ１６混合物）、及びＲ’がメチルとなるような配分である。更に別の実施形態において、Ｒが、平均で、Ｃ１０〜Ｃ１６アルキル（およそ、例えば、６０％  Ｃ１０、３５％  Ｃ１２、５％  Ｃ１４混合物）、及びＲ’がメチルとなるような配分である。更なる実施形態において、Ｒ及びＲ’の前述の配分の混合物も採用されてもよい。
【００４２】
カチオン部分、Ｍは、アルカリ金属又はアルカリ土類金属カチオン、若しくはこれらの混合物である。好ましくは、Ｍは、ナトリウム、カリウム、リチウム、マグネシウム、カルシウム、及びこれらの混合物より選択される。最も好ましくは、Ｍは、ナトリウム、又はナトリウムを含有する混合物である。Ｍがアルカリ金属カチオン（価数＝１）であるとき、ｎは１であり、Ｍがアルカリ土類金属カチオン（価数＝２）であるとき、ｎは２である。
【００４３】
アルキルエステル界面活性剤を製造する方法は十分に説明され、当業者に既知である。米国特許番号第４，６７１，９００号、同第４，８１６，１８８号、同第５，３２９，０３０号、同第５，３８２，６７７号、同第５，３８４，４２２号、同第５，４７５，１３４号、同第５，５８７，５００号、同第６，７８０，８３０号を参照されたい。ＭＥＳは、ヒューイッシュ（Huish）から市販されている。
【００４４】
前記プロセスに使用されるＭＥＳ及び本発明の組成物は、固体／フレーク、及び／又は液体界面活性剤プレミックスとして、あらゆる形状で含まれてもよい。
【００４５】
実施形態によっては、本発明に有用な界面活性剤は、「主要界面活性剤」であってもよい。本明細書で使用するとき、「主要界面活性剤」は、組成物の、約１重量％以上の量の組成物に存在する、あらゆる洗剤界面活性剤を指す。
【００４６】
アニオン性界面活性剤類
本明細書で有用な好適なアニオン性界面活性剤は、洗剤製品に一般的に使用される従来のアニオン性界面活性剤の種類のあらゆるものを含む。これらには、アルキルベンゼンスルホン酸類及びそれらの塩類、並びにアルコキシル化又は非アルコキシル化アルキルサルフェート物質類が挙げられる。
【００４７】
代表的なアニオン性界面活性剤は、Ｃ１０〜１６アルキルベンゼンスルホン酸類、好ましくは、Ｃ１１〜１４アルキルベンゼンスルホン酸類のアルカリ金属塩類である。一実施形態において、アルキル基は、直鎖であり、このような直鎖アルキルベンゼンスルホン酸塩は「ＬＡＳ」として知られる。アルキルベンゼンスルスルホン酸類、特にＬＡＳは、当該技術分野において周知である。そのような界面活性剤及びそれらの製造は、例えば、米国特許第２，２２０，０９９号及び同第２，４７７，３８３号に記載されている。好ましくは、ナトリウム及びカリウム線状直鎖アルキルベンゼンスルホン酸塩であり、アルキル基における炭素原子の平均数は約１１〜１４である。ナトリウムＣ１１〜Ｃ１４、例えば、Ｃ１２、ＬＡＳはそのような界面活性剤の具体的な例である。
【００４８】
他の代表的な種類のアニオン性界面活性剤にはエトキシ化アルキルサルフェート界面活性剤類が含まれる。アルキルエーテルサルフェート類又はアルキルポリエトキシレートサルフェート類としても既知のそのような物質類は、式：Ｒ’−Ｏ−（Ｃ２Ｈ４Ｏ）ｎ−ＳＯ３Ｍに相当するものであり、式中、Ｒ’はＣ８〜Ｃ２０アルキル基であり、ｎは約１〜２０であり、及びＭは塩生成カチオンである。具体的な実施形態では、Ｒ’はＣ１０〜Ｃ１８アルキルであり、ｎは約１〜１５であり、及びＭはナトリウム、カリウム、アンモニウム、アルキルアンモニウム、又はアルカノールアンモニウムである。より具体的な実施形態において、Ｒ’はＣ１２〜Ｃ１６であり、ｎは約１〜６であり、及びＭはナトリウムである。
【００４９】
アルキルエーテルサルフェート類は、一般に、種々のＲ’鎖長及び種々のエトキシ化度を含む混合物の形態で使用される。しばしばそのような混合物はまた、必然的にいくつかの非エトキシルアルキルサルフェート物質、すなわち、上記エトキシ化アルキルサルフェート式で、式中、ｎ＝０である界面活性剤類も含有することになる。非エトキシ化アルキルサルフェート類もまた本発明の組成物に別途加えてもよい、かつ存在することもある任意のアニオン性界面活性剤成分として又は構成成分中で使用してよい。非アルコキシル化、例えば非エトキシ化、アルキルエーテルサルフェート界面活性剤の具体例は、高級Ｃ８〜Ｃ２０脂肪族アルコール類の硫酸化により製造されるものである。従来の一級アルキルサルフェート界面活性剤は一般式ＲＯＳＯ３−Ｍ＋（式中、Ｒは直鎖又は分枝鎖であってよい典型的に線状Ｃ８〜Ｃ２０ヒドロカルビル基であり、Ｍは水溶性化カチオンである）を有する。具体的な実施形態では、ＲはＣ１０〜Ｃ１５アルキルであり、Ｍはアルカリ金属であり、より具体的には、ＲはＣ１２〜Ｃ１４であり、Ｍはナトリウムである。
【００５０】
本明細書で有用なアニオン性界面活性剤の例は、ａ）Ｃ１１〜Ｃ１８アルキルベンゼンスルホン酸塩（ＬＡＳ）、ｂ）Ｃ１０〜Ｃ２０一級、分岐鎖及び任意のアルキルサルフェート（ＡＳ）、ｃ）式（Ｉ）及び（ＩＩ）を有するＣ１０〜Ｃ１８二級（２、３）アルキルサルフェートを含む。
【化２】
2009540096.tif 000003
式（Ｉ）及び（ＩＩ）中のＭは、電気的中性を与える水素又はカチオンであり、全てのＭ単位は、界面活性剤と関連しようが補助成分と関連しようが、熟練者により分離された形態又は化合物が使用される系の相対的なｐＨにより、水素原子又はカチオンのいずれかであることが可能であり、好ましいカチオンの非限定例には、ナトリウム、カリウム、アンモニウム、及びこれらの混合物が挙げられ、ｘは少なくとも約７、好ましくは少なくとも約９の整数であり、ｙは少なくとも８、好ましくは少なくとも約９の整数であるもの、ｄ）Ｃ１０〜Ｃ１８アルキルアルコキシサルフェート類（ＡＥｘＳ）であって、式中、好ましくはｘは１〜３０であるもの、ｅ）好ましくは１〜５のエトキシ単位を含むＣ１０〜Ｃ１８アルキルアルコキシカルボキシレート類、ｆ）米国特許第６，０２０，３０３号、及び同第６，０６０，４４３号で考察される中鎖分岐状アルキルサルフェート類、ｇ）米国特許第６，００８，１８１号、及び同第６，０２０，３０３号で考察される中鎖分岐状アルキルアルコキシサルフェート類、ｈ）ＷＯ  ９９／０５２４３、ＷＯ  ９９／０５２４２、ＷＯ  ９９／０５２４４、ＷＯ  ９９／０５０８２、ＷＯ  ９９／０５０８４、ＷＯ  ９９／０５２４１、ＷＯ  ９９／０７６５６、ＷＯ  ００／２３５４９、及びＷＯ  ００／２３５４８で考察される変性されたアルキルベンゼンスルホネート（ＭＬＡＳ）、ｉ）メチルエステルスルホネート（ＭＥＳ）、及びｊ）α−オレフィンスルホネート（ＡＯＳ）。
【００５１】
非イオン性界面活性剤類
本明細書で有用な好適な非イオン性界面活性剤は、洗剤製品で通常使用される従来の非イオン性界面活性剤のいかなる種類をも含むことができる。これらには、アルコキシル化脂肪族アルコール類及びアミンオキシド界面活性剤類が挙げられる。本明細書における洗剤組成物に使用する通常のものは、通常液体である非イオン性界面活性剤である。
【００５２】
本明細書の使用に好適な非イオン性界面活性剤類には、アルコールアルコキシラート非イオン性界面活性剤類が挙げられる。アルコールアルコキシラート類は一般式：Ｒ１（ＣｍＨ２ｍＯ）ｎＯＨに記載の物質であり、式中、Ｒ１はＣ８〜Ｃ１６アルキル基であり、ｍは２〜４であり、ｎは約２〜１２の範囲である。好ましくは、Ｒ１は、第一級又は第二級でもよいアルキル基であり、約９〜１５個の炭素原子、より好ましくは約１０〜１４個の炭素原子を含有する。一実施形態では、アルコキシル化脂肪族アルコール類はまた、分子当り約２〜１２個のエチレンオキシド部分、より好ましくは分子当り約３〜１０個のエチレンオキシド部分を含有するエトキシ化物質である。
【００５３】
本明細書における、洗濯洗剤組成物に有用なアルコキシル化脂肪アルコール物質は、しばしば約３〜１７に及ぶ親水性−親油性バランス（ＨＬＢ）を有する。この物質のＨＬＢは、約６〜１５、或いは約８〜１５の範囲であってもよい。アルコキシル化脂肪族アルコール非イオン性界面活性剤類は、シェル・ケミカル社（Shell Chemical Company）により商標名ネオドール（Neodol）及びドバノール（Dobanol）で市販されている。
【００５４】
本明細書で有用な非イオン性界面活性剤の別の好適な種類は、アミンオキシド界面活性剤である。アミンオキシド類は、しばしば当該技術分野において「半極性」非イオン性物質と呼ばれる物質である。アミンオキシド類は、式：Ｒ（ＥＯ）ｘ（ＰＯ）ｙ（ＢＯ）ｚＮ（Ｏ）（ＣＨ２Ｒ’）２．ｑＨ２Ｏを有する。この式中、Ｒは、飽和又は不飽和、直鎖又は分岐鎖であることができる比較的長鎖のヒドロカルビル部分であり、８〜２０個、好ましくは１０〜１６個の炭素原子を含有することができ、より好ましくはＣ１２〜Ｃ１６第一級アルキルである。Ｒ’は短鎖部分で、好ましくは水素、メチル及びＣＨ２ＯＨから選択される。ｘ＋ｙ＋ｚが０と異なる場合、ＥＯはエチレンオキシ、ＰＯはプロピレンオキシ、及びＢＯはブチレンオキシである。アミンオキシド界面活性剤類は、Ｃ１２〜１４アルキルジメチルアミンオキシドにより例示される。
【００５５】
他の非イオン性界面活性剤は、ａ）シェル（Shell）のネオドール（NEODOL）（登録商標）非イオン性界面活性剤等の、Ｃ１２〜Ｃ１８アルキルエトキシレート、ｂ）アルコキシレートユニットはエチレン及びプロピレンユニットの混合物である、Ｃ６〜Ｃ１２アルキルフェノールアルコキシレート、ｃ）Ｃ１２〜Ｃ１８アルコール及びＣ６〜Ｃ１２アルキルフェノールと、ＢＡＳＦのプルロニック（Pluronic）（登録商標）のようなエチレンオキシド／プロピレンオキシドブロックポリマーとの縮合体）、ｄ）米国特許番号第６，１５０，３２２号で考察される、Ｃ１４〜Ｃ２２中鎖分岐アルコールＢＡ、ｅ）ｘ１〜３０は、米国特許番号第６，１５３，５７７号、同第６，０２０，３０３号、及び同第６，０９３，８５６号で考察される、Ｃ１４〜Ｃ２２中鎖分岐アルキルアルコキシレート、ＢＡＥｘ、ｆ）レナード（Llenado）による、１９８６年１月２６日発行の米国特許番号第４，５６５，６４７号で考察されるアルキル多糖、特に、米国特許番号第４，４８３，７８０号、及び同第４，４８３，７７９号で考察されるアルキルポリグリコシド、ｇ）米国特許番号第５，３３２，５２８号、ＷＯ  ９２／０６１６２、ＷＯ  ９３／１９１４６、ＷＯ  ９３／１９０３８、及びＷＯ  ９４／０９０９９で考察されるポリヒドロキシ脂肪酸アミド、並びに、ｈ）米国特許番号第６，４８２，９９４号及びＷＯ  ０１／４２４０８号で考察されるエーテル末端保護されたポリ（オキシアルキル化）アルコール界面活性剤が挙げられる。
【００５６】
アニオン性／非イオン性の組み合せ
本明細書における洗濯洗剤組成物において、界面活性剤成分は、ＭＥＳとのアニオン及び非イオン性界面活性剤の組み合せを含んでもよい。この場合、アニオン性と非イオン性との重量比は、典型的には１０：９０〜９０：１０、より典型的には３０：７０〜７０：３０の範囲である。
【００５７】
陽イオン性界面活性剤
カチオン性界面活性剤は、当技術分野において周知であり、これらの例は、２６までの炭素原子を有することが可能である、四級アンモニウム界面活性剤を含む。追加の例には、ａ）米国特許第６，１３６，７６９号で考察されるアルコキシラート四級アンモニウム（ＡＱＡ）界面活性剤類、ｂ）米国特許第６，００４，９２２号で考察されるジメチルヒドロキシエチル四級アンモニウム、ｃ）ＰＣＴ国際公開特許ＷＯ  ９８／３５００２、ＷＯ  ９８／３５００３、ＷＯ  ９８／３５００４、ＷＯ  ９８／３５００５、及びＷＯ  ９８／３５００６で考察されるポリアミンカチオン性界面活性剤類、ｄ）米国特許第４，２２８，０４２号、同第４，２３９，６６０号、同第４，２６０、５２９号、及び米国特許第６，０２２，８４４号で考察されるカチオン性エステル界面活性剤類、並びにｅ）米国特許第６，２２１，８２５号及びＰＣＴ国際公開特許ＷＯ  ００／４７７０８で考察されるアミノ界面活性剤類、具体的にはアミドプロピルジメチルアミン（ＡＰＡ）が挙げられる。
【００５８】
双極性界面活性剤
双極性界面活性剤の例は、二級及び三級アミンの誘導体、複素環式二級、及び三級アミンの誘導体、又は四級アンモニウムの誘導体、四級ホスホニウム又は三級スルホニウム化合物を含む。双極性界面活性剤の例については、米国特許第３，９２９，６７８号（ラフリン（Laughlin）ら、１９７５年１２月３０日発行）、１９欄３８行〜２２欄４８行を参照のこと。アルキルジメチルベタイン及びココジメチルアミドプロピルベタイン、Ｃ８〜Ｃ１８（好ましくはＣ１２〜Ｃ１８）アミンオキシド類、並びにスルホ及びヒドロキシベタイン類を含むベタイン、例えば、アルキル基がＣ８〜Ｃ１８、好ましくはＣ１０〜Ｃ１４であり得るＮ−アルキル−Ｎ，Ｎ−ジメチルアミノ−１−プロパンスルホネートが挙げられる。
【００５９】
両性界面活性剤類
両性界面活性剤の例は、二級、又は三級アミンの脂肪族誘導体、又は脂肪族ラジカルは、直鎖又は分岐鎖であることが可能である、複素環式二級、及び三級アミンの脂肪族誘導体を含む。脂肪族置換基のうち１つは、少なくとも約８個の炭素原子、典型的には約８〜約１８個の炭素原子を含有し、及び少なくとも１つが、アニオン性水溶性基、例えば、カルボキシ、スルホネート、サルフェートを含有する。両性界面活性剤の例については、米国特許第３，９２９，６７８号（１９７５年１２月３０日発行、ラフリン（Laughlin）ら）の１９欄１８行〜３５行を参照のこと。
【００６０】
他の任意の洗剤成分
本明細書における洗濯洗剤組成物は、１つ以上の任意の洗剤組成物を含有してもよい。
【００６１】
本明細書で有用な任意の洗剤成分は、色相染料、不透明化剤、粘度変性剤、洗浄性研磨剤、酵素、酵素安定剤（プロピレングリコール、ホウ酸及び／又はホウ砂等）、泡抑制剤、土壌懸濁剤、汚れ放出剤、他の布地ケア有益剤、ポリマー、柔軟剤、ｐＨ調整剤、キレート化剤、スメクタイト粘土、溶媒、ヒドロトロープ及び相安定剤、構造化剤、転染防止剤、蛍光増白剤、香料及び、着色剤等の、当該技術分野において既知のものを含む。種々の任意の洗剤組成物成分は、本明細書の組成物中に存在する場合、それらの望ましい寄与を組成物又は洗濯操作にもたらすため、慣習的に使用されている濃度で利用されるべきである。しばしば、そのような任意の洗剤組成物成分の合計量は組成物の約０．１重量％〜約５０重量％、より好ましくは約１重量％〜約３０重量％である。
【００６２】
本発明の一実施形態において、補助剤成分は、研磨剤、増白剤、移染防止剤、キレート剤、ポリアクリレートポリマー、分散剤、着色剤染料、色相染料、香料、加工助剤、漂白剤添加物、漂白活性化剤、漂白前駆体、漂白剤触媒、溶媒、共溶媒、向水性物質、液体支持材料、相安定剤、汚れ放出ポリマー、酵素安定剤（本明細書に記載の可逆性ペプチドプロテアーゼ阻害剤、及び／又は可逆性芳香族プロテアーゼ阻害剤以外）泡抑制剤、不透明化剤、泡増量剤、腐食防止剤、ラジカルスカベンジャー、塩素スカベンジャー、構造化剤、柔軟剤添加物、他の衣類柔軟剤、ｐＨ調節剤、蛍光増白剤、スメクタイト粘土、構造剤、保存料、増粘剤、着色剤、衣料柔軟材、流動性調節剤、賦形剤、殺菌剤、及びこれらの混合物から選択されてもよい。（米国特許番号第３，９３６，５３７号（バスカービレＪｒ（Baskerville, Jr.）ら、１９７６年２月３日発行、米国特許番号４，２８５，８４１号、バラット（Barrat）ら、１９８１年８月２５日発行、米国特許番号第４，８４４，８２４号、メーメルスティーン（Mermelstein）ら、１９８９年７月４日発行、米国特許番号第４，６６３，０７１号、ブッシュ（Bush）ら、米特許番号第４，９０９，９５３号、サドロースキ（Sadlowski）ら、１９９０年３月２０日発行、米国特許番号第３，９３３，６７２号バルトレッタ（Bartoletta）らに対する１９７６年１月２０日発行、及びゴールト（Gault）ら、に対する第４，１３６，０４５号、１９７９年１月２３日発行、及び米国特許番号第４，７６２，６４５号タッカー（Tucker）ら、１９８８年８月９日発行、６欄３行〜７欄２４行も参照のこと）。
【００６３】
上記の任意の洗剤成分のリストは、包括的であることを意図せず、列挙されていない可能性のある、当該技術分野において周知の他の任意の洗剤成分も組成物に含まれてもよい。
【００６４】
美観
あらゆる市販、又は非市販の容器のみならず、本明細書の前述の洗剤組成物は、望ましい外見又は美観を有してもよい。組成物及び／又は容器は、真珠光沢のある液体等の、不透明、透明、又は半透明のいかなる色、又は外見であってもよい。一実施形態において、濃縮された洗剤組成物は、空気又は気泡、懸濁液体液滴、単数又は複数の乳濁液液滴、懸濁粒子等、並びにこれらの組み合せを含有してもよい。更に、組成物及び／又は容器は、あらゆる色、又は色の組み合せであってもよい。更に、組成物及び／又は容器は、例えば、様々な屈折指数の組み合せ、真珠光沢、オパール色、反射、ホログラフ効果、金属色、グロス仕上げ、マット仕上げ等、並びにこれらの組み合せ等の、あらゆる視覚的な処置を有してもよい。
【００６５】
一実施形態において、本発明の洗濯洗剤組成物は、半透明、又は透明であり、半透明、又は透明な容器に梱包され、或いは、このような組成物は色相染色及びＭＥＳ界面活性剤との組み合せにおけるＵＶ吸収物、又は蛍光増白剤を更に含有する。
【００６６】
使用方法
本明細書の組成物は、布地の洗濯に使用するための水性洗浄溶液を形成するために使用することが可能である。一般に、こうした水性洗濯溶液を形成するため、水、好ましくは従来の布地洗濯自動洗濯機中の水にこのような組成物の有効量を添加する。次に、このように形成された水性洗浄溶液を、好ましくは攪拌下で、それにより洗濯すべき布地と接触させる。
【実施例】
【００６７】
（実施例１Ａ及び１Ｂ）
２０％の二塩を有するＭＥＳを含有する液体洗濯洗剤組成物。
【表１】
2009540096.tif 000004
【００６８】
「発明を実施するための最良の形態」で引用した全ての文献は、関連部分において本明細書に参考として組み込まれるが、いずれの文献の引用も、それが本発明に対する先行技術であることを容認するものと解釈されるべきではない。本明細書における用語のいずれかの意味又は定義が、参照することにより組み込まれる文献における用語のいずれかの意味又は定義と対立する範囲においては、本明細書においてその用語に付与した意味又は定義を適用するものとする。
【００６９】
本発明の特定の諸実施形態を図示し、記載したが、本発明の趣旨及び範囲から逸脱することなく他の様々な変更及び修正を実施できることは当業者には自明であろう。したがって、本発明の範囲内にあるかようなすべての変更及び修正を、付加された許請求の範囲でカバーするものとする。
【国際調査報告】
2009540096.tif 000005
2009540096.tif 000006
2009540096.tif 000007